(57)【要約】      （修正有）【課題】幼児が片手で椀を持つ所作を容易かつ自然に体得することができ、収納にもかさばることのない椀の提供を可能にする。【解決手段】片手で支えて持つことのできる椀１０であって、親指を添えて椀を保持することのできることのできる親指かけ１が、縁５から突き出しており、底部には、他の指を添えて椀を支えることのできる凹み状の指かけを２有している椀であり、親指かけには、表面に滑り止めが設けてある。【選択図】図１
2017121316.tif 000002
【特許請求の範囲】
【請求項１】
片手で支えて持つことのできる椀であって、
親指を添えて椀を保持することのできることのできる親指かけが、縁から突き出しており、底部には、他の指を添えて椀を支えることのできる凹み状の指かけを有していることを特徴とする椀。
【請求項２】
前記親指かけには、表面に滑り止めが設けてあることを特徴とする請求項１に記載の椀。
【請求項３】
前記他の指を添えて椀を支えることのできる凹み状の指かけが、それぞれ設けてあることを特徴とする請求項１または請求項２に記載の椀。
【発明の詳細な説明】
【技術分野】
【０００１】
本発明は、椀に関するものである。特に、幼児が容易に片手で支え持つことの可能な椀であって、食事のマナーを自然に身に付けることのできる椀に関するものである。
【背景技術】
【０００２】
食事のマナーは、各国各様の文化に根ざしたものであって、特に日本では箸やお椀の持ち方には、日本文化に由来するマナーが求められる。こういったマナーは、幼児期のしつけによって体得することが普通であるが、あまり口うるさくしつけようとすると、食事時間を楽しむことを忘れがちであり、本末転倒になりかねない。
【０００３】
とくに４歳から７歳くらいの幼児期に、より自然な形で身に付くよう工夫できれば、親にとっても、子にとっても、楽しい時間を共有できて好都合である。
【０００４】
特許文献１には把手つきの食器が提案されているが、持ちやすさには改善が見られるものの、収納においてかさばったり、重ねることができないなど、実際に使用する場面において、問題点も多かった。また把手そのものが和食器にはなじみにくい上、製造コストにも影響するという難点があった。
【先行技術文献】
【特許文献】
【０００５】
【特許文献１】特開２００５−２８００８号公報
【発明の概要】
【発明が解決しようとする課題】
【０００６】
本発明はかかる状況に鑑みてなされたものであり、幼児が片手で椀を持つ所作を容易かつ自然に体得することができ、収納にもかさばることのない椀の提供を可能にすることを課題とする。
【課題を解決するための手段】
【０００７】
上記の課題を解決するための手段として、請求項１に記載の発明は、片手で支えて持つことのできる椀であって、親指を添えて椀を保持することのできることのできる親指かけが、縁から突き出しており、底部には、他の指を添えて椀を支えることのできる凹み状の指かけを有していることを特徴とする椀である。
【０００８】
また、請求項２に記載の発明は、前記凸起状の親指かけには、表面に滑り止めが設けてあることを特徴とする請求項１に記載の椀である。
【０００９】
また、請求項３に記載の発明は、前記他の指を添えて椀を支えることのできる凹み状の指かけが、それぞれ設けてあることを特徴とする請求項１または請求項２に記載の椀である。
【発明の効果】
【００１０】
本発明によれば、幼児が片手で椀を持つ所作を容易かつ自然に体得することができ、収納にもかさばることのない、椀の提供が可能である。
【００１１】
とくに請求項２に記載の発明によれば、幼児が片手で椀を持つ所差作をより容易かつ自然に体得することができ、収納にもかさばることのない椀の提供が可能である。
【００１２】
とくに請求項３に記載の発明によれば、幼児が片手で椀を持つ所差作を、容易かつより自然に体得することのできる、椀の提供が可能である。
【図面の簡単な説明】
【００１３】
【図１】図１は本発明に係る、椀の一実施形態例を説明するための、斜視模式図である。
【図２】図２は本発明に係る、椀の一実施形態を説明するための、椀を真横から見た模式図である。
【図３】図３は本発明に係る、椀の他の実施形態を説明するための、椀を真横から見た模式図である。
【発明を実施するための形態】
【００１４】
以下、本発明を実施するための形態について、図を参照しながら詳細な説明を加える。但し本発明は。ここに挙げた例にのみ限定されるものではなく、請求項によってのみ限定されるものである。
図１は本発明に係る、椀の一実施形態例を説明するための斜視模式図である。椀（１０）は、通常の椀の縁（５）の部分に、縁から外側につき出した親指かけ（１）、および高台（３）の部分に凹み状の指かけ（２）を有している。親指かけ（１）は、椀（１０）を上から見たときに縁（５）から外側につき出した形状である。
【００１５】
ここでいう椀（１０）は、日本の食卓で一般に用いられる椀である。日本では食事においては、米飯の椀や汁椀などを、手で支えもって食事をすることが一般的である。また椀（１０）の材質は、陶磁器のほか、最近ではプラスチックも用いられており、そのほかガラス、金属の椀や、木を素材とした塗り椀になども用いられることがある。
【００１６】
ここに示した例においては、椀を手に持って食事をする場合であって、椀の縁（５）に設けられた親指かけ（１）に親指を、高台（３）に設けられた、凹み状の指かけ（２）に、第３指、および第４指をそれぞれかけて、椀（１０）を支えることができるようになっている。
日本の家庭の食卓および食事の場面では、一般に椀（１０）を手指で支えるためには、親指を椀（１０）の縁（５）にかけて、椀の下の高台（３）を他の指で支えることが正しく、マナーにかなったものとされている。
本発明による椀（１０）を用いる場合にも、親指で椀（１０）の縁（５）に設けられた親指かけ（１）をおさえ、他の指を、高台に設けられた指かけ（２）に配置して椀（１０）を支え持つことによって、椀（１０）を支えやすくするとともに、正しい位置で椀（１０）を支えることができる。したがって本発明による椀（１０）を用いれば、幼児が片手で椀（１０）を持つ所作を、容易かつ自然に体得することができる。
【００１７】
指かけ（２）は、高台（３）の部分に凹み状に設けられ、他の指をかけて用いるが、それらの指をかけられる幅の凹みを設けてもよく、それぞれの指のための凹みを設けてもよい。
【００１８】
また、親指かけ（１）と指かけ（２）の位置関係は、対象とする幼児の親指および第３指、第４指が、正しくかつ自然にかけられる位置に設けるのがよく、たとえば左利きの場合にもそれに合わせた配置とすることができる。
【００１９】
図２は本発明に係る、椀の一実施形態を説明するための、椀を真横から見た模式図である。親指かけ（１）は椀（１０）の縁（５）から外側にせり出して設けられ、上に向かってふくらんだ形状またはへこんだ形状をとるなどして、親指のすべり止め（４）とすることができる。図２に示した例では、親指かけ（１）は上および下に向かってふくらんだ形
状を有している。
滑り止め（４）は、親指かけ（１）の表面に微細な凹凸を設けてもよく、表面にシリコンゴムなどを配して滑り止め（４）とすることもできる。滑り止め（４）によって、椀（１０）は、より確実に安定して手指で支えることが可能になり、幼児が片手で椀を持つ所作を、容易かつ自然に体得することができ、収納にもかさばることのない椀（１０）とすることができる。
【００２０】
図３は本発明に係る、椀の他の実施形態を説明するための、椀を真横から見た模式図である。ここに示した例では、親指かけ（１）の形状はへこんだ部分とふくらんだ部分が重なり合うことができ、椀（１０）を重ねた際にも、お互いに干渉することなく重ねられる例である。このような形状であれば、椀（１０）をよりかさばることなく、重ねて収納することが可能である。
【００２１】
このようにして、本発明によれば、幼児が片手で椀を持つ所作を容易かつ自然に体得することができ、収納にもかさばることのない椀の提供が可能である。
【符号の説明】
【００２２】
１・・・親指かけ
２・・・指かけ
３・・・高台
４・・・滑り止め
５・・・縁
１０・・・椀
【図１】
2017121316.tif 000003
【図２】
2017121316.tif 000004
【図３】
2017121316.tif 000005